(57)【特許請求の範囲】
【請求項１】
離間された一対のヘッダタンク間を接続・連通する複数の第１のチューブ内を流れる流通媒体を冷却する第１の熱交換器と、
該第１の熱交換器に積層配置されて、前記一対のヘッダタンク間を接続・連通する複数の第２のチューブ内を前記第１のチューブから流れてきた前記流通媒体を流して該流通媒体をさらに冷却する第２の熱交換器と、
を備え、
前記一対のヘッダタンクのうちの一方のヘッダタンクには、この内部にそれぞれ開口連通する前記第１のチューブおよび前記第２のチューブの一端側部分の間を連通不能に仕切る第１の仕切り壁を設けた積層熱交換器であって、
前記一対のヘッダタンクのうちの他方のヘッダタンクは、タンクプレートとチューブプレートとを、これらプレート間に空間を形成するように組み合わせ、
前記チューブプレートには、前記第１のチューブ及び前記第２のチューブの他端側がそれぞれ固定されて前記空間に連通し、
前記タンクプレートと前記チューブプレートの上端にアッパ閉塞プレートを、また前記タンクプレートと前記プレートの下端にロア閉塞プレートをそれぞれ設けて前記空間を閉塞し、
前記タンクプレートおよび前記チューブプレートの間には前記空間を前記第１のチューブ側の空間と前記第２のチューブ側の空間とに仕切るとともに、この仕切られた内部空間同士を連通して前記第１のチューブから流れてきた前記流通媒体を前記第２のチューブへ流す連通路を形成した仕切りプレートを設け、
該仕切りプレートは、これに設けた係止孔に前記アッパ閉塞プレートおよび前記ロア閉塞プレートに設けた係止孔を係合させて前記アッパ閉塞プレートおよび前記ロア閉塞プレートを係止するとともに、
前記アッパ閉塞プレートおよび前記ロア閉塞プレートは、これらに設けた突起を前記タンクプレートに設けた取付孔に挿入して該タンクプレートに固定した、
ことを特徴とする積層熱交換器。
【請求項２】
請求項１に記載の積層熱交換器において、
前記第１のチューブおよび前記第２のチューブの前記他端部分は、前記連通路と同じ高さ位置で該連通路を挟む位置に配置した、
ことを特徴とする積層熱交換器。
【請求項３】
請求項１又は請求項２に記載の積層熱交換器において、
前記連通路の上下方向長さは、前記前記第１のチューブおよび前記第２のチューブの前記他端部分の上下方向長さより長くした、
ことを特徴とする積層熱交換器。
【請求項４】
請求項１乃至３のいずれか１項に記載の積層熱交換器において、
前記連通路は、前記仕切りプレートの長手方向に直交する幅方向に延びるスリットである、
ことを特徴とする積層熱交換器。
【請求項５】
請求項１乃至４のいずれか１項に記載の積層熱交換器において、
前記連通路は、前記仕切りプレートの該幅方向端部のいずれか一方の側面側に設けた、
ことを特徴とする積層熱交換器。
【請求項６】
請求項１乃至５のいずれか１項に記載の積層熱交換器において、
前記第１の仕切り壁は、前記連通路を形成する前の前記仕切りプレートと同じ形状の仕切りプレートであり、
前記第一方のヘッダタンクおよび前記他方のヘッダタンクは、これら両者間でそれぞれ同じ形状のタンクプレートとチューブプレートを、これらの内部に前記仕切りプレートを配置した状態で、組み付けて構成した、
ことを特徴とする積層熱交換器。
【請求項７】
請求項６項に記載の積層熱交換器において、
前記仕切りプレートは、それぞれ前記第１のヘッダタンクおよび前記第２ヘッダタンクを構成するタンクプレートとチューブプレートとに結合して固定した、
ことを特徴とする積層熱交換器。
【請求項８】
請求項１乃至７のいずれか１項に記載の積層熱交換器において、
前記第１の熱交換器はこれを冷却する空気流の下流側に、また前記第２の熱交換器は前記空気流の上流側にそれぞれ積層配置した、
ことを特徴とする積層熱交換器。
【発明の詳細な説明】
【技術分野】
【０００１】
本発明は、二つの熱交換器を積層して一方の熱交換器から他方の熱交換器へ共通する流通媒体を流しながら、それぞれで冷却するようにした積層熱交換器に関する。
【背景技術】
【０００２】
積層熱交換器は、車載時に車幅方向を大きくすることなく、冷却面積を拡大することができる。このような従来の積層熱交換器としては、例えば、特許文献１や特許文献２に記載のものが知られている。
【０００３】
特許文献１に記載の従来の積層熱交換器にあっては、離間した一対のヘッダパイプ（ヘッダタンクに相当）間が、複数の貫通孔を設けた扁平チューブで連結される。そして、入口、出口が設けられた方のヘッダパイプの内部空間が、このＵ字状の横断面を２分して長さ方向に一体成形されて突出する仕切りプレートにて入口側用と出口側用とに２分されるとともに、複数の貫通孔も入口側用と出口側用とに２分される。また、他方のヘッダパイプを横断面Ｕ字状に形成されてこの内部空間にて複数の貫通孔がすべて連通されることにより、ここで入口側の貫通孔から流れてきた炭酸ガス（冷媒）を出口側の貫通孔へとＵターンさせて方向変換するようにされている。
【０００４】
また、特許文献２に記載の従来の積層熱交換器にあっては、離間した一対のヘッダ（ヘッダタンクに相当）間が、複数の扁平チューブで連結されている。そして、炭酸ガス（冷媒）をＵターンさせる方のヘッダは、境界壁を介して両側にそれぞれ円弧状の筒状部分を一体的に設けた横断面ω状の（２つの円弧状部分を形成した）内側部材と、チューブの端部が挿入されるチューブ挿入孔が形成された外側部材と、が組み合されることで構成されている。その内側部材には、境界壁に入口側と出口側とを連通する連通路（連通孔）が形成されて、この深さが筒状部分の両側端よりチューブの長手方向の奥まで届く位置に設定され、この連通路に挿入されるチューブの端部が筒状部分の両側端に当たって位置決めされた状態で、連通路の奥側部分を介して入口側と出口側とが連通するように構成されている。
【先行技術文献】
【特許文献】
【０００５】
【特許文献１】特開平１０−２８８４７６号公報
【特許文献２】特許第４３３４２６６号公報
【発明の概要】
【発明が解決しようとする課題】
【０００６】
しかしながら、上記特許文献１に記載の従来の積層熱交換器にあっては、また、冷媒をＵターンさせる側のヘッダパイプは半円筒状であり、かつその内部に仕切り部等の強度部材を有してないので、その分、強度的に弱くなり、ヘッダパイプの厚さを大きくしなければならず、大型化、コスト高になるといった問題がある。
一方、上記特許文献２に記載の従来の積層熱交換器にあっては、冷媒をＵターンさせる方のヘッダタンクは、１枚のプレートをプレスで折り曲げてω状にし、この断面中央位置に仕切り部が形成されるとともに、この仕切り部にコア部のチューブの端部部分を嵌合させるチューブ孔と両側を連通する連通孔とを有する仕切り部がパンチプレスにて設けられているが、このように複雑に折り曲げて形成した仕切り部では、加工工数も大変となってコスト高となるだけでなく、残留応力も高くなって強度的に弱くならざるを得ないといった問題がある。
【０００７】
本発明は、上記問題に着目してなされたもので、その目的とするところは、冷媒等の流通媒体をＵターンさせるヘッダタンクの強度の向上を安価な構成で行うことができる積層熱交換器を提供することにある。
【課題を解決するための手段】
【０００８】
この目的のため、請求項１に記載の本発明による積層熱交換器は、
離間された一対のヘッダタンク間を接続・連通する複数の第１のチューブ内を流れる流通媒体を冷却する第１の熱交換器と、
第１の熱交換器に積層配置されて、一対のヘッダタンク間を接続・連通する複数の第２のチューブ内を第１のチューブから流れてきた流通媒体を流してこの流通媒体をさらに冷却する第２の熱交換器と、
を備え、
一対のヘッダタンクのうちの一方のヘッダタンクには、この内部にそれぞれ開口連通する第１のチューブおよび第２のチューブの一端側部分の間を連通不能に仕切る第１の仕切り壁を設けた積層熱交換器であって、
一対のヘッダタンクのうちの他方のヘッダタンクは、タンクプレートとチューブプレートとを、これらプレート間に空間を形成するように組み合わせ、
チューブプレートには、第１のチューブ及び第２のチューブの他端側がそれぞれ固定されて空間に連通し、
タンクプレートとチューブプレートの上端にアッパ閉塞プレートを、またタンクプレートとプレートの下端にロア閉塞プレートをそれぞれ設けて空間を閉塞し、
タンクプレートおよびチューブプレートの間には空間を第１のチューブ側の空間と第２のチューブ側の空間とに仕切るとともに、この仕切られた内部空間同士を連通して第１のチューブから流れてきた流通媒体を前記第２のチューブへ流す連通路を形成した仕切りプレートを設け、
仕切りプレートは、これに設けた係止孔にアッパ閉塞プレートおよびロア閉塞プレートに設けた係止孔を係合させてアッパ閉塞プレートおよびロア閉塞プレートを係止するとともに、
アッパ閉塞プレートおよびロア閉塞プレートは、これらに設けた突起をタンクプレートに設けた取付孔に挿入してタンクプレートに固定した、
ことを特徴とする。
【０００９】
また、請求項２に記載の本発明による積層熱交換器は、
請求項１に記載の積層熱交換器において、
第１のチューブおよび第２のチューブの他端部分を、連通路と同じ高さ位置でこの連通路を挟む位置に配置した、
ことを特徴とする。
【００１０】
また、請求項３に記載の本発明による積層熱交換器は、
請求項１又は請求項２に記載の積層熱交換器において、
連通路の上下方向長さを、第１のチューブおよび第２のチューブの他端部分の上下方向長さより長くした、
ことを特徴とする。
【００１１】
また、請求項４に記載の本発明による積層熱交換器は、
請求項１乃至３のいずれか１項に記載の積層熱交換器において、
連通路が、仕切りプレートの長手方向に直交する幅方向に延びるスリットである、
ことを特徴とする。
【００１２】
また、請求項５に記載の本発明による積層熱交換器は、
請求項１乃至４のいずれか１項に記載の積層熱交換器において、
連通路を、仕切りプレートのこの幅方向端部のいずれか一方の側面側に設けた、
ことを特徴とする。
【００１３】
また、請求項６に記載の本発明による積層熱交換器は、
請求項１乃至５のいずれか１項に記載の積層熱交換器において、
第１の仕切り壁が、連通路を形成する前の仕切りプレートと同じ形状の仕切りプレートであり、
一方のヘッダタンクおよび他方のヘッダタンクが、それぞれ同じ形状のタンクプレートとチューブプレートを、これらの内部に前記仕切りプレートを配置した状態で、組み付けて構成した、
ことを特徴とする。
【００１４】
また、請求項７に記載の本発明による積層熱交換器は、
請求項６項に記載の積層熱交換器において、
第一方のヘッダタンクおよび他方のヘッダタンクが、これら両者間でそれぞれ同じ形状にしたタンクプレートとチューブプレートを、これらの内部に仕切りプレートを配置した状態で組み付けて構成した、
ことを特徴とする。
【００１５】
また、請求項８に記載の本発明による積層熱交換器は、
請求項１乃至７のいずれか１項に記載の積層熱交換器において、
第１の熱交換器を、これを冷却する空気流の下流側に、また第２の熱交換器を、空気流の上流側にそれぞれ積層配置した、
ことを特徴とする。
【発明の効果】
【００１６】
請求項１に記載の本発明の積層熱交換器にあっては、大きい内部圧力を受けるため肉厚、大型で高価なヘッダタンクに代えて、小型で安価な、形状の仕切りプレートをヘッダタンク内でこれに結合して固定する構成としたため、ヘッダタンクは薄型、軽量にしても十分な耐圧強度を確保することができ、したがって大型化を抑えるとともにコストの低減も可能となる。また、仕切りプレート、アッパ閉塞プレート、ロア閉塞プレート、およびタンクプレートを係止孔、突起、取付孔を用いて組み立てるようにしたので、これらプレートを加熱処理する前にあって強度を確保しながら密接に組み付けた状態に保つことが安価に可能となる。
【００１７】
また、請求項２に記載の本発明の積層熱交換器にあっては、第１のチューブおよび第２のチューブの他端部分を、連通路と同じ高さ位置で連通路を挟む位置に配置したので、第１のチューブから流れ出た流通媒体を第２のチューブへＵターンさせる際、その流れを上下方向に乱すことなくスムーズに方向変換させることができる。
【００１８】
また、請求項３に記載の本発明の積層熱交換器にあっては、連通路の上下方向長さを、第１のチューブおよび第２のチューブの他端部分の上下方向長さより長くして連通路の連通面積を拡大したので、第１のチューブから流れ出た流通媒体を第２のチューブへＵターンさせる際、連通路を介してスムーズに流すことができる。
【００１９】
また、請求項４に記載の本発明の積層熱交換器にあっては、連通路を、第２の仕切りプレートの長手方向に直交する幅方向に延びるスリットで構成したので、第２のチューブが多数設けられても、これに対応する分を容易に第２仕切りプレートに形成でき、また、その場合に、円形孔等を形成する場合とは異なり、その強度が極端に弱くなる部分が生じるのをなくすことができる。
【００２０】
また、請求項５に記載の本発明の積層熱交換器にあっては、連通路を、第２の仕切りプレートのこの幅方向端部のいずれか一方の側面側に設けたので、流通媒体を第２のヘッダタンクの内面に沿ってスムーズに流すことができる。
【００２１】
また、請求項６に記載の本発明の積層熱交換器にあっては、第１の仕切り壁を、連通路を形成する前の仕切りプレートと同じ形状の仕切りプレートとし、第１のヘッダタンクおよび第２のヘッダタンクを、これら両者間でそれぞれ同じ形状のタンクプレートとチューブプレートを組み付けて構成したので、両ヘッダタンク間でタンクプレートとチューブプレートをそれぞれ共用しながら、連通孔の有無のみ異なる第１の仕切りプレート、第２の仕切りプレートを装着するだけでよく、安価かつ容易に一対のヘッダタンクを製造することができる。
また、一方のヘッダタンクに使用する仕切りプレートと他方のヘッダタンクに使用する仕切りプレートには、後者は前者に連通路を形成するだけで良いから、材料のすべて、加工の大部分を共用化してさらなるコストの低減が可能となる。
さらに、チューブプレートのみを変更して取り付けるチューブ数を変更したり、あるいはタンクプレートのみを変更してタンク容量を変更したりして、車載に応じてヘッダタンクの変更を容易かつ安価に行うことができる。
【００２２】
また、請求項７に記載の本発明の積層熱交換器にあっては、連通路の有無のみ異なる仕切りプレートを、それぞれ第１のヘッダタンクおよび第２ヘッダタンクのタンクプレートとチューブプレートに結合して固定するようにしたので、第１のヘッダタンクおよび第２ヘッダタンクの強度を向上させることができる。
【００２３】
また、請求項８に記載の本発明の積層熱交換器にあっては、第１の熱交換器を、これを冷却する空気流の下流側に、また第２の熱交換器を、空気流の上流側にそれぞれ積層配置したので、冷却媒体を全体的により均一に冷却することができるようになる。
【図面の簡単な説明】
【００２４】
【図１】本発明に係る実施例１の積層熱交換器を示す斜視図である。
【図２】実施例１の積層熱交換器の分解斜視図である。
【図３】実施例１の積層熱交換器で用いられる第１のチューブの端部部分を固定したタンクプレートおよびその近くに配置された第２の仕切りプレート、タンクプレートの結合状態を示し、図１中のS3−S３線に沿って切断した部分拡大図である。
【発明を実施するための最良の形態】
【００２５】
以下、本発明の実施の形態を、図面に示す実施例に基づき詳細に説明する。なお、各実施例にあって、同じ構成部品・部分には同じ番号を付し、重複する説明は省略する。
【実施例１】
【００２６】
まず、実施例１の積層熱交換器1の全体構成を説明する。
この実施例１の積層熱交換器1は、たとえば、自動車の前部に搭載されてその室内用空調システムで用いられる冷凍サイクルやヒートポンプサイクルの一部を構成するコンデンサである。
図１および図２に示すように、積層熱交換器1は、第１の熱交換器2Aと、この第１の熱交換器2Aの車両前側（すなわち車両走行中に車両前方から後方へ流れてくる空気流の上流側）に積層配置された第２熱交換器2Bと、を有する。第１の熱交換器2Aと第２の熱交換器2Bは、後述するように、これら両者間が連通するように接続されて、たとえば炭酸ガスといった冷媒（本発明の流通媒体に相当）を空冷するように構成されている。
【００２７】
第１の熱交換器2Aと第２の熱交換器2Bとの車両幅方向両端側には、それぞれ左側ヘッダタンク3および右側ヘッダタンク4が設けられる。これらの構造については、後で詳しく説明する。
左側ヘッダタンク3および右側ヘッダタンク4の車両後方側部分の間には、第１の熱交換器2A用の複数の第１のチューブ2aが上下方向に並べられて配設される。また第１のチューブ2aと前後方向に所定の隙間を空けた、左側ヘッダタンク3および右側ヘッダタンク4の車両前方側部分の間には、第２の熱交換器2B用の複数の第２のチューブ2bが上下方向に並べられて配設される。
【００２８】
これら第１のチューブ2aおよび第２のチューブ2bの両端部部分は、ヘッダタンク3、4の内部とそれぞれ連通するようにこれらに固着される。なお、実施例１では、第１のチューブ2aおよび第２のチューブ2bは、扁平チューブで構成され、それぞれが同じ高さ位置となるように配置されている。
【００２９】
第１のチューブ2aと第２のチューブ2bとの両チューブのうち、最上方に位置する両チューブの上にはアッパフィン部2cが、また最下方に位置する両チューブの下にはロアフィン部2dが配置される。アッパフィン部2cとロアフィン部2dは、いずれも第１、第２のチューブ2a、2bの両方に上下からそれぞれ被さるような車両前後方向の長さ、かつ車両幅方向の長さを有している。
【００３０】
このように第１のチューブ2a、第２のチューブ2b、アッパフィン部2cおよびロアフィン部2dが第１のヘッダタンク3と第２のヘッダタンク4との間に結合配置された状態で、これらの上下にそれぞれレインフォースメント5、6が配置され、これらの両端部が第１のヘッダタンク3と第２のヘッダタンク4とにそれぞれ結合される。
【００３１】
次に、第１のヘッダタンク3と第２のヘッダタンク4の構造について、図２および図３に基づき、より詳細に説明する。
まず、第１のヘッダタンク3から説明すると、同図に示すように、第１のヘッダタンク３は、タンクプレート31と、これに車幅方向内側から組み付けられるチューブプレート32と、これらで形成される空間を車両方向前後の各空間に分割する第１の仕切りプレート33と、上記空間の上方開口部および下方開口部をそれぞれ上下から閉塞するアッパ閉塞プレート34およびロア閉塞プレート35と、を有する。なお、第１の仕切りプレート33は、本発明の第１の仕切り壁に相当する。
【００３２】
タンクプレート31は、横断面コ字状に形成され、その高さ方向の中央部付近で車両後方側に流体媒体を流入させるためのインレット孔31aが、また車両前方側に流体媒体を流出させるためのアウトレット孔31bが形成され、インレットポート部コネクタ7aおよびアウトレットポート用コネクタ７ｂそれぞれ取り付けられる。インレットポート部7aおよびアウトレットポート部７ｂは、他の車載部品（たとえばコンプレッサやレシーバタンクなど）に配管で接続される。なお、図１では、インレットポート部コネクタ7aおよびアウトレットポート用コネクタ７ｂは、コネクタ7としてまとめて描いてある。
【００３３】
タンクプレート31には、さらに上下両端部位に取付孔31c、31cが形成されてアッパ閉塞プレート34およびロア閉塞プレート35の突起34a、35aがそれぞれ挿入固定される。これら両取付孔31c、31cの間には、複数の係合孔31dが上下方向に沿って形成されて、第１の仕切りプレート33の複数の外側突起33aがそれぞれ対応する位置で挿入係合される。この状態では、アッパ閉塞プレート34、ロア閉塞プレート35の外側端部分および両側面部分の外側の方が、タンクプレート31の内面に沿うようになる。
【００３４】
一方、チューブプレート32は、横断面がコ字状をしており、この両側面部分がタンクプレート31の両側面部分に、これら両プレート31、32が第１の仕切りプレート33を挟んだ状態で組み付けられることで、流通媒体が入る内部空間を形成する。チューブプレート32には、第１のチューブ2aの本数分だけ、これらの一端部分が挿入固定される第１の固定孔32aが車両後方側位置で上下方向に沿って形成されるとともに、その第１の固定孔32aから所定距離だけ離れた車両前方側位置で、第２のチューブ2bの本数分だけ（本実施例では第１のチューブ2bと同じ本数）これらの一端部分が挿入固定される第２の固定孔32bが上下方向に沿って形成されている。
そして、第１の固定孔32aおよび第２の固定孔32bには、それぞれ対応する位置で第１のチューブ2aおよび第２のチューブ2bの一端部分が固定される。なお、互いに対応する第１の固定孔32aと第２の固定孔32bとは、同じ高さ位置に設定される。
【００３５】
チューブプレート32には、第１の固定孔32aと第２の固定孔32bとの車両前後方向の間で、隣合う第１の固定孔32a同士の上下方向の中間位置（したがって、隣り合う第２の固定孔32b同士の上下方向の中間位置）に、上下方向に沿って複数の係合孔32cが形成されて、第１の仕切りプレート33の複数の内側突起33bが挿入係合される。
【００３６】
なお、第１の仕切りプレート33の車幅方向外側の上下端側にはそれぞれ係止孔33c、33cが設けられて、アッパ閉塞プレート34、ロア閉塞プレート35の係止孔35a、35aが係止される。この状態では、アッパ閉塞プレート34、ロア閉塞プレート35の内側端部分および両側面部分の内側の方が、チューブプレート32の内面に沿うようになる。
【００３７】
以上のようにして、構成された第１のヘッダタンク3では、この内部空間が第１の仕切りプレート33により車両前後の空間に分割され、車両後方側の空間は、第１のチューブ2aおよびインレットポート用コネクタ7aに連通し、車両前方側の空間は第２のチューブ2bおよびアウトレットポート用コネクタ7bに連通することとなる。
【００３８】
次に、第２のヘッダタンク４の構成につき、説明する。
第２のヘッダタンク４も左側のヘッダタンク同様に構成されるが、第１のヘッダタンク3に対して車幅方向に対称に配置される点、および第２の仕切りプレート43の形状が第１の仕切りプレート33と一部形状が異なる点で相違する。すなわち、タンクプレート31、41、チューブプレート32、42、アッパ閉塞プレート34、44、ロア閉塞プレート35、45はいずれのヘッダタンク3、4でも同じ形状であり、組み付け方向が異なるだけである。
【００３９】
第２のヘッダタンク4は、タンクプレート41と、これに車両幅方向の内側から組み付けられるチューブプレート42と、これらで形成される空間を車両方向前後の各空間に分割する第2の仕切りプレート43と、上記空間の上方開口部および下方開口部をそれぞれ上下から閉塞するアッパ閉塞プレート44およびロア閉塞プレート45と、を有する。
【００４０】
タンクプレート41は、横断面コ字状に形成され、その車両前後方向の中央位置で、上下両端部位に取付孔41a、41aが形成されて、アッパ閉塞プレート44およびロア閉塞プレート45の突起44a、45aがそれぞれ挿入固定される。また、これら両取付孔41a、41aの間には、複数の係合孔41bが上下方向に沿って形成されて、第２の仕切りプレート43の複数の外側突起43aが挿入係合される。この状態では、アッパ閉塞プレート44、ロア閉塞プレート45の外側端部分および両底側面部分の外側の方が、タンクプレート41の内面に沿うようになる。
【００４１】
一方、チューブプレート42は、横断面がコ字状をしており、この両側面部分がタンクプレート41の両側面部分に、これら両プレート41、42が第２の仕切りプレート43を挟んだ状態で組み付けられることで、流通媒体が入る内部空間を形成するようにされている。チューブプレート42には、車両後方側位置で第２のチューブ2bの本数分だけこれらの一端部分が挿入固定される複数の第１の固定孔42aが上下方向に沿って形成されるとともに、第１の固定孔32aの所定距離前方側位置で第２のチューブ2bの本数分だけこれらの一端部分が挿入固定される第２の複数の固定孔42bが上下方向に沿って形成されていて、それぞれ第１のチューブ2aおよび第２のチューブ2bの他端部分が固定される。なお、対応する第１の固定孔42aと第２の固定孔42bとは、同じ高さ位置に設定される。
【００４２】
チューブプレート42には、第１の固定孔42aと第２の固定孔42bとの車両前後方向の間で、隣合う第１の固定孔42a同士の上下方向の中間位置（したがって、隣り合う第２の固定孔42b同士の上下方向の中間位置）に、上下方向に沿って複数の係合孔42cが形成されて、第２の仕切りプレート43の複数の内側突起43bが挿入係合される。
【００４３】
なお、第２の仕切りプレート43の車幅方向外側の上下端側にはそれぞれ係止孔43c、43cが設けられて、アッパ閉塞プレート44、ロア閉塞プレート45の係止孔45a、45bが係止される。この状態では、アッパ閉塞プレート44、ロア閉塞プレート45の内側端部分および両側面部分の内側の方が、チューブプレート42の内面に沿うようになる。
【００４４】
また、第２の仕切りプレート43の車幅方向内側端部分には、水平方向に延ばされたスリット43d（本発明の連通路に相当）が上下方向にわたって複数個設けられ、第２の仕切りプレート43の長手方向に直交する幅方向へ伸ばされている。これらのスリット43dは、車両内側へ開口され、第１のチューブ2aおよび第２のチューブ2bのそれぞれの高さ位置に応じて設けられる。
【００４５】
図３に、第１のチューブ2a、タンクプレート41、チューブプレート42、第２の仕切りプレート43の結合状態を拡大して示す。なお、図３は図１中のS3−S3線に沿って切断し、車両前方側をみた部分拡大断面図である。
同図から分かるように、右側のヘッダタンク4の一部を構成するチューブプレート42の第１の固定孔42aを形成する部分は、バーリング加工などでタンクプレート41側へ向けてお椀状に突出させられ、第１の固定孔42aより若干広いタンクプレート41とは反対側の開口部から第１のチューブ2aが挿入固定される。それらの車両側前方には第２の仕切りプレート43が配置固定されるが、この第２の仕切りプレート43に設けたスリット43dが第１のチューブ2aと同じ中心軸高さ位置にあるようにされるとともに、スリット43dの開口の高さ方向長さが第１のチューブ2aの厚み（外面での高さ）方向長さより大きく設定してある。なお、図３では見えないが、第２の仕切りプレート43の車両前後方向の前方には、第２のチューブ2bがチューブプレート42の第２の固定孔42bに第１のチューブ2aの場合と同様に挿入固定されている。なお、第２のチューブ2bの外面での高さ（厚み）は、第１のチューブ2aと同じである。
【００４６】
上記のように構成された積層熱交換器1は、すべての部品がアルミ、またはアルミ合金で形成されており、仮組みされた後、たとえばロー部材が接合箇所に貼り付けられた状態にて加熱炉で熱処理され一体化される。
【００４７】
上記のように構成した実施例１の積層熱交換器1は、以下のように作用する。
インレットポート用コネクタ7aから第１のヘッダタンク3の車両後方空間に流入された流通媒体は、車両後方側に位置する複数の第１のチューブ2aを介して第２のヘッダタンク4の内部へと流れ込む。このとき、車両前方から後方へと流れ込んで来た空気流（図１および図２中にこの空気流の流れ方向を矢印AFで示す）は、第２のチューブ2bを通過した後、第１のチューブ2a同士の隙間を通過する際、ここを流れる流通媒体と熱交換が行われ、この結果、流通媒体が冷却される。
【００４８】
このようにして冷却された流通媒体は、第１のチューブ2aの他端部分の開口から第２のヘッダタンク4の車両後方側空間に入り、第２の仕切りプレート43のスリット43aを通過して第２のヘッダタンク4の車両前方側空間に入る。スリット43aは、第１のチューブ2aの他端部分の外形高さより大きな高さで開口されており、また第１のチューブ2aや第２のチューブ2bと同じ高さ位置に設けられているため、流れが乱されにくくスムーズに第２のヘッダタンク4の車両前方側空間へ流れ込む。
【００４９】
第２のヘッダタンク4の車両前方側空間に流れ込んだ流通媒体は、第２のチューブ2aを通って、今度は第１のチューブ2aのときの流れとは対向する方向へ流れて第１のヘッダタンク３の車両前側空間へと流れる。この際、第２のチューブ2bを流れる流通媒体は、すでに第１のチューブ2aを流れたときに冷却されているが、第２のチューブ2a間の隙間を流れる空気流は第１のチューブ2aの隙間を流れるときより低い温度を有するので、この空気流と熱交換することで、さらに冷却される。第１のヘッダタンク３の車両前側空間へと流れ込んだ流通媒体は、アウトレットポート用コネクタ7bを介して他の車載装置へと流れていく。
【００５０】
以上、説明したように、実施例１の積層熱交換器1にあっては、以下の効果を有する。
流通媒体をＵターンさせる第２のヘッダタンク4の内部に、第２の仕切りプレート43を配置して第２のヘッダタンク4の内部空間を２分した状態で固定し、この第２の仕切りプレート43に上記２分した内部空間を連通して第１のチューブから流れてきた流通媒体を第２のチューブへ流すスリット43dを設けたので、第２のヘッダタンク4は、強度的に向上することとなり、タンクプレート41やチューブプレート42の厚さを従来のように厚くして大型化する必要はない。しかも、タンクプレート41やチューブプレート42は、従来のようにプレスにてω状にした複雑な形状にする場合に比べて、残留応力も小さくなってそれらの強度も増し、また加工も容易となってコスト高を抑えることが可能となる。
【００５１】
また、第１、第２の仕切りプレート33、43は、両内部空間から圧を対向して受けるため、上記部品のような強度は必要としないため、薄肉化でき安価となる。また、第２の仕切りプレート43は、第１の仕切りプレート33を用いてこれにスリット43dを形成するだけだから、これらもさらに安くすることが可能となる。
また、第１のヘッダタンク3と第２のヘッダタンク4には、この内部で第１の仕切りプレート33、第２の仕切りプレート43が固定されるので、第１のヘッダタンク3と第２のヘッダタンク4の強度を向上させることができる。
【００５２】
また、第１のヘッダタンク3と第２のヘッダタンク4の主要部分（本発明の外側部材に相当）を構成するタンクプレート31、41、チューブプレート32、42、アッパ閉塞プレート34、44およびロア閉塞プレート35は第１のヘッダタンク3と第２のヘッダタンク4で共通とし、これらのヘッダタンク3、4内を仕切る第１の仕切りプレート33、第２の仕切りプレート43を別体としてヘッダタンク3、4に取り付けるようにしたので、両ヘッダタンク3、4のうち、高い内部圧力に耐えるように肉厚で大きく形成せざるを得ない部品を共用化することができ、小型で安い仕切りプレート33、43のみを変更するだけで両ヘッダタンク3、4を得ることができ、コストの低減が図れる。
【００５３】
また、第２の仕切りプレート43の連通路としてスリット43dを形成するようにしたので、円形孔を上下方向に複数形成する場合のように一部強度的に弱い箇所が生じるような虞はない。また、スリット43dを第２の仕切りプレート43のいずれかの端部側に形成したので、流通媒体が第２ヘッダタンク4の内面に沿ってスムーズに流れるようになる。さらに、スリット43dの高さ位置を第１、第２のチューブ2a、2bの高さ位置と同じ位置にしたので、流通媒体がＵターンするとき、流れに乱れが生じにくくなる。さらに、スリット43dの開口高さ方向長さを第１、第２のチューブ2a、2bの高さ方向長さより大きくしたので、流通媒体がスムーズに流れるようになる。
【００５４】
また、第１のチューブ2aを空気流の下流側に、また第２のチューブ2bを空気流の上流側に配置したので、空気流とそれらチューブ2a、2bを通過する流通媒体の温度差を均一化き、安定した冷却が可能となる。
なお、第２のヘッダタンク内で流通媒体がＵターンできるので、パイプ等でＵターンさせる従来の積層熱交換器に比べ、よりコンパクト化が可能となる。
【００５５】
以上、本発明を上記各実施例に基づき説明してきたが、本発明はこれらの実施例に限られず、本発明の要旨を逸脱しない範囲で設計変更等があった場合でも、本発明に含まれる。
【００５６】
たとえば、本発明の積層熱交換器１は、室内空調用システムのコンデンサであったが、これに限られない。
また、第２の仕切りプレート43にあっては、スリット43dがそのチューブ2a、２ｂ側端に形成したが、逆のタンクプレート41側に形成してもよい。また、連通路は、スリット以外の形状であっても良い。
また、隣接するチューブ間にフィンを設けるものであってもよく、チューブ数等は必要に応じて適宜設定することができる。
【００５７】
さらに、本発明にあっては、実施例のように、第１のヘッダタンク３と第２のヘッダタンク４とは、同じ形状のタンクプレート31、41、チューブプレート32、42である必要はなく、また、第１の仕切りプレート33、第２の仕切りプレート43を異ならせたり、あるいは第１の仕切りプレート33の代わりにタンクプレート31、チューブプレート32に一体形成した仕切り壁部で形成したりしてもよい。
【符号の説明】
【００５８】
1      積層熱交換器
2A     第１の熱交換器
2B     第２の熱交換器
2a     第１のチューブ
2b     第２のチューブ
2c     アッパフィン部
2d     ロアフィン部
3 第１のヘッダタンク
31     タンクプレート
31a   インレット孔
31b    アウトレット孔
31c    取付孔
31d    係合孔
32 チューブプレート
32a    第１の固定孔
32b    第２の固定孔
32c    係合孔
33 第１の仕切りプレート
33a    外側突起
33b    内側突起
33c    係止孔
34 アッパ閉塞プレート
35 ロア閉塞プレート
４     第２のヘッダタンク
41     タンクプレート
41a     取付孔
41b     係合孔
46      チューブプレート
42a    第１の固定孔
42b    第２の固定孔
42c    係合孔
43     第２の仕切りプレート
43a    外側突起
43b    内側突起
43c    係止孔
43d    スリット
44      アッパ閉塞プレート
45      ロア閉塞プレート
5,6     レインフォースメント
7       コネクタ
7a      インレットポート用コネクタ
7b      アウトレットポート用コネクタ
【図１】
0005653848.tif 000002
【図２】
0005653848.tif 000003
【図３】
0005653848.tif 000004